(57)【要約】【課題】  ゴルフのスイングを調整するためには、ボールを打った時、ゴルフクラブのフェイスのどこにボールが当たったかを知りたいが、フェイスは硬い材料でできておりボールの痕跡はつかない。【解決手段】  微粉末と溶剤の混合液をスプレイで吹き付け、フェイスに微粉末の層を形成し、この層にボールの痕跡が残るようにする。また拭き取りも布で簡単に拭き取ることができる。【選択図】図１
2007330724.tif 000002
【特許請求の範囲】
【請求項１】
少なくとも、微粉末とアルコール溶剤を混合した液体を入れた容器と、手動で圧縮した空気或いは高圧ガスを使う噴霧器具から構成され、ゴルフクラブのフェイス表面に上記噴霧器具を使って上記液体を吹き付け、上記微粉末を主成分とする薄い膜を形成することを特徴とするゴルフクラブ用スプレイ
【請求項２】
上記請求項１に記載されたスプレイにおいて、微粉末は炭酸カルシウムを主成分としたものであることを特徴とするゴルフクラブ用スプレイ
【発明の詳細な説明】
【技術分野】
【０００１】  本発明はドライバ、アイアン等のゴルフクラブのファイス表面に微粉末を吹き付け、この微粉末により形成された層により、ボールが当たった痕跡（箇所）が残るようにするためのゴルフクラブ用スプレイに関するものである。
【背景技術】
【０００２】    ゴルフで良いショットを打つためには、ゴルフクラブのフェイス（打球面）の中でもスイートスポットと呼ばれる部分でボールを捉えることが重要である。しかし安定してスイートスポットでボールを捉えることは、素人には困難なことであり、このためスイートスポットを外して打ってもボールの軌道を調整することのできるゴルフクラブの提案もある。しかし基本はスイートスポットでボールを捉えることにあることは間違いない。
【特許文献１】実開平５−４８９７１  このためスイートスポットでボールを捉えられるように、プレイヤがフォームを調整することはしばしば起こることである。
【発明の開示】
【発明が解決しようとする課題】
【０００３】  この調整においては、まずフェイスのどこにボールが当たっているかを正確に知ることが重要であるが、フェイスは金属等の硬い材質で出来ていることから、ボールが当たった痕跡がほとんど残らず、このためどこに当たったかは感に頼るのが実情であった。【０００４】  シートを貼って打点を確認する方法もあるが、打点を確認した後シートを剥がすことに手間が掛かったり、あるいは使っている最中にシートが剥がれ落ちるなどの問題があり快適に使えるものではなかった。また１回の練習で何度も付け替えることから、シートの裏面に塗られた接着剤で手がべとつき、剥がしたシートの始末にも困ると言う問題があった。【０００５】  ゴルフは精神的な影響が大きいことから、フェイスのどこにボールが当たっているか、正確にわからないままフォームを調整しても、プレイヤは自信が持てず、この結果、フォームの調整も順調に進まないことが多かった。
【問題を解決するための手段】
【０００６】  この問題を解決するため、本発明のゴルフクラブ用スプレイにおいては、炭酸カルシウム等の微粉末をアルコール溶剤に溶かした液体を、液化石油ガス（ＬＰＧ）や手動により圧縮した空気を使った噴霧器によりゴルフクラブのフェイス表面に吹き付ける。こうすれば、フェイス表面に微粉末の層が形成され、ボールが当たった箇所には微粉末層の剥がれや圧縮によりボールの痕跡が残る。
【０００７】  また基本的に微粉末が付着しているだけであるから、この微粉末を除去する場合も布で一拭きする程度で容易に除去することができる。
このため数回〜１０回程度打った後に、個々のボール跡の判別が付かなくなった時、微粉末を吹き付け直す手間も簡単である。また場合によっては痕跡の残った層の上に重ねて吹き付けても構わない。
【０００８】  微粉末は吹き付けた瞬間は溶剤により湿っているが、溶剤は揮発性であるから短時間に乾燥する。しかも完全に乾燥していなくてもボールの痕跡は残るため実用上は問題ない。このため乾燥時間を特に意識する必要はない。
また微粉末層は、ボールがどこに当たったかを判別できる程度の痕跡が残れば良いので、特に厚さや均一性などを厳しく制御する必要はない。
【発明の効果】
【０００９】  本発明のゴルフクラブ用スプレイを使えば、スイングの調整を行う際に以下の利点が得られる。
【００１０】  １．ボール跡がフェイスに残るため、プレイヤが１打毎に打点を確認しながらスイングの調整が行える。
２．ボール跡を確認しながらスイングの調整が行えることから、精神的な安心感が得られ、これがプレイヤの自信につながる。
３．炭酸カルシウムのような微粉末を吹き付けた層であるから、布で簡単に拭き取ることができ、拭き取りに手間が掛からない。また拭き取らずに重ねて吹き付けても構わない。
４．フェイスに薄い微粉末層を形成するだけであるから、クラブの重量や打った感覚に影響を与えない。
５．微粉末層については厚さや均一性を厳しく制御する必要がないことから、本発明のゴルフクラブ用スプレイは安価な値段で供給できる。
６．スイング中にフェイスにボールが当たるのは地面近くである。このため微粉末が飛び散っても人間が微粉末を吸い込む可能性は低く人体に対する影響が少ない。
【発明を実施するための最良の形態】
【００１１】  本発明の第一の実施形態を図１〜図３を使って説明する。【００１２】  本実施形態では、微粉末をアルコール溶剤に溶かした液体を、噴霧器具によりゴルフクラブのフェイス１の表面に吹き付け、フェイス１の表面全体に微粉末の薄い層２を形成する。
このようにフェイス１に微粉末層２を形成すれば、フェイス１でボールを打った時に微粉末が剥がれたり圧縮されたりすることにより微粉末層２にボールの痕跡３が残る。この痕跡３が残ることにより、プレイヤは一回毎にフェイス１のどこにボールが当たったか確認しながらスイングの調整を行うことが可能となる。また複数のボールの痕跡が着くことで、本人のスイングの傾向（癖）を掴むことも可能となる。【００１３】  この微粉末としては例えば炭酸カルシウム（石灰石）の微粉末を使えば良い。更にフェイス１の表面全体に広がるように、表面張力を弱めるための界面活性剤や、吸着力を強化・調整するための例えば珪酸、シリカゲル、ヒドロキシエチルセルロースような増粘剤を適量加えても良い。
またアルコール溶剤としてはグリセリン、エチレングリコール、ジエチレングリコール等が使える。
この液体を吹き付けるためのスプレイは、基本的に微粉末と溶剤の混合液、ＬＰＧを別々に格納した容器５と噴霧器具６から構成されるタイプ（図２）のものや、微粉末と溶剤の混合液を入れた容器５ａと手動で引き金７を引いて空気を圧縮する噴霧器具６ａから構成されるタイプ（図３）のもの等が使える。【００１４】  なお、ここで噴霧器具とは、霧吹きの原理を使って吸い上げた液体と気体を混合して噴霧する一般に広く使われている噴霧器具のことである。また本発明に必要な材料も、同様に広く使われているものであり特別なものはない。このため更なる詳細は述べない。【００１５】  また複数のボールの跡がついて、個々の痕跡が判別し難くなった時は、タオル等で一拭きする程度で、容易に微粉末を除去することができる。あるいは重ねて吹き付けても良い。（上塗りしても良い）
なお、微粉末と溶剤はスプレイの中では別々の容器に入れておき、吹き付ける時に混合しても良い。【００１６】  このように本発明のゴルフクラブ用スプレイにより、フェイスに微粉末層を形成すれば、簡単な操作で当たったボールの痕跡をフェイスに残すことができるため、スイングの改善に大いに役立つ。またボールの痕跡を確認した上でのフォームの改善はプレイヤに精神的にも安心感と自信を与える。【００１７】  以上の実施形態で述べたように、本発明のゴルフクラブ用スプレイを使えば、簡単な操作で、打ったボールの痕跡をフェイス表面に残すことが出来るため、ボールをスイートスポットに当てるための練習やスイングの調整を行う上で大いに役立つ。
【産業上の利用可能性】
【００１８】  本発明のゴルフクラブ用スプレイを使えば、これまで説明したように簡単な操作でゴルフクラブのフェイスに打ったボールの痕跡を残すことが出来るため、スイングの練習や調整時に使えば大いに役立つ。このためゴルフ上達の補助用品として利用価値が高い。
またゴルフ以外にもテニスラケットや野球のバットのようにスイートスポットでボールを捉えるスポーツであれば、本発明のスプレイが同様に効果的である。
【図面の簡単な説明】
【００１９】
【図１】  本発明の第１の実施例
【図２】  本発明で使うスプレイの例１
【図３】  本発明で使うスプレイの例２
【符号の説明】
【００２０】１    フェイス
２    微粉末層
３    ボールの痕跡
４    スイートスポット
５    混合液とＬＰＧを別個に格納した容器
５ａ  混合液が入った容器
６    噴霧器具
６ａ  噴霧器具
７    引き金
【図１】
2007330724.tif 000003
【図２】
2007330724.tif 000004
【図３】
2007330724.tif 000005